(57)【特許請求の範囲】
【請求項１】
照明器具の調光レベルを制御する調光回路を少なくとも含む回路が実装された調光回路基板と、前記調光回路基板を内部に収納し、造営面に設けられた開口部に後部が埋め込まれ、前記開口部の周縁部に張出部を当接させた状態で造営面に取り付けられる器具本体と、前記器具本体の張出部と造営面との間に介在する防気シートとを備え、
先端に他の部位よりも幅広の爪を有する係止突起が設けられた挟み金具の前記爪が挿入される突起挿入孔と、この突起挿入孔に連続して係止突起の幅狭部が挿入される係止孔とが前記器具本体に設けられ、
前記防気シートは前記突起挿入孔と前記係止孔に対応した位置に前記係止突起を挿通するための金具用切込をそれぞれ有し、前記突起挿入孔と前記係止孔との境界に切れ込みが設けられたことを特徴とする調光制御装置。
【請求項２】
前記防気シートは、前記器具本体に設けられた器具本体を造営面に取り付ける為の固定ネジの挿通孔と対向する位置に、前記固定ネジを通す為のネジ用切込が設けられたことを特徴とする請求項１記載の調光制御装置。
【発明の詳細な説明】
【技術分野】
【０００１】
本発明は、光源を調光点灯する調光制御装置に関するものである。
【背景技術】
【０００２】
従来、複数の照明器具と接続され、各照明器具の調光レベルを操作する調光スイッチが露出するようにして、壁面などの造営面に配設される調光制御装置が提供されている（例えば、特許文献１参照）。この特許文献１に記載の調光制御装置は、商用交流電源から照明器具への給電路に挿入された双方向サイリスタの導通角（位相角）を調整する位相制御回路を有し、照明器具への給電量を制御することで調光制御している。
【０００３】
この種の調光制御装置を室内の壁面などの造営面に配設するには、造営面に調光制御装置の調光回路などが収納されたケースを埋め込むための取付孔を形成する。また調光制御装置は、ケースの前面側に開口した開口部を覆うようにして、平板状で取付孔よりも大きなサイズに形成されたカバーをケースに取り付け、ケースの後方側を造営面の取付孔に埋め込む。さらにカバーをネジなどにより造営面に取り付けることで、調光制御装置のケースは、カバーに保持され造営面の取付孔に埋め込まれた状態で造営面に固定される。
【先行技術文献】
【特許文献】
【０００４】
【特許文献１】特開２００８−２４３４９６号公報
【発明の概要】
【発明が解決しようとする課題】
【０００５】
ところで近年、一般的な住戸では冷暖房の普及に伴って、冷暖房の効率を向上させるために室内の気密性を高めてることが求められている。しかしながら、上述のように調光制御装置を造営面に配設する為に造営面に取付孔を形成した場合、取付孔を通して室内外で空気が流通して気密性が失われ、室内の冷暖房の効率が低下するという問題があった。
【０００６】
本発明は、上記事由に鑑みて為されたものであり、その目的とするところは、室内の気密性を高めて冷暖房の効率を向上する調光制御装置を提供することにある。
【課題を解決するための手段】
【０００７】
上記目的を達成するために、本願の調光制御装置は、照明器具の調光レベルを制御する調光回路を少なくとも含む回路が実装された調光回路基板と、前記調光回路基板を内部に収納し、造営面に設けられた開口部に後部が埋め込まれ、開口部の周縁部に張出部を当接させた状態で造営面に取り付けられる器具本体と、器具本体の張出部と造営面との間に介在する防気シートとを備え、先端に他の部位よりも幅広の爪を有する係止突起が設けられた挟み金具の爪が挿入される突起挿入孔と、この突起挿入孔に連続して係止突起の幅狭部が挿入される係止孔とが器具本体に設けられ、防気シートは突起挿入孔と係止孔に対応した位置に係止突起を挿通するための金具用切込をそれぞれ有し、突起挿入孔と係止孔との境界に切れ込みが設けられることを特徴とする。
【０００８】
この防気シートは、器具本体に設けられた器具本体を造営面に取り付ける為の固定ネジの挿通孔と対向する位置に、固定ネジを通す為のネジ用切込が設けられることが好ましい。
【発明の効果】
【００１０】
本願発明によれば、室内の気密性を高めて冷暖房の効率を向上する調光制御装置を提供することができる。
【図面の簡単な説明】
【００１１】
【図１】本発明の実施の形態にかかる調光制御装置を示す分解斜視図である。
【図２】同調光制御装置を他方側から見た分解斜視図である。
【図３】同調光制御装置及び同調光制御装置に接続された照明器具を示す概略ブロック図である。
【図４】（ａ）は同調光制御装置を構成する係止片を示す概略斜視図であり、（ｂ）は同調光制御装置の係止片の取付位置を説明する為の概略断面図である。
【図５】（ａ）は同調光制御装置を造営面に取り付ける際に用いられる挟み金具を示し、（ｂ）は同挟み金具を用いた調光制御装置の取り付け方法を説明する為の概略断面図である。
【図６】同調光制御装置を造営面に取り付けた際の空気の対流を説明する為の概略断面図である。
【発明を実施するための形態】
【００１２】
以下に本発明の実施の形態を図面に基づいて説明する。
【００１３】
本実施の形態にかかる調光制御装置１について、図１〜図６を用いて説明する。なお、以下の説明においては、図１の上下方向を調光制御装置１の上下方向とし、図６における左右方向を調光制御装置１の前後方向、紙面に対して垂直な方向を左右方向と規定して説明を行う。
【００１４】
本実施の形態にかかる調光制御装置１は、天井面や床などの室内空間に設置された複数の照明器具２と接続し、使用者の操作に応じて各照明器具２の調光レベルを個別に操作するための装置である。この調光制御装置１は、それぞれ位相制御回路とデューティ制御回路からなる調光回路を５回路分備える（図３を参照）。
【００１５】
この調光制御装置１に接続される照明器具２としては、例えば白熱灯などを光源（図示せず）として備え、電源線Ｌ１を介して調光制御装置１から供給される交流電源の導通角を変化させることによって調光される照明器具２ａがある。また、発光ダイオードや蛍光灯などを光源（図示せず）と、商用電源ＡＣからの供給電力を動作用電力として光源の調光レベルを調整するデューティ制御回路（図示せず）を備えた照明器具２ｂが接続される。照明器具２ｂのデューティ制御回路は、信号線Ｌ２を介して接続される調光制御装置１から入力される調光信号のデューティ比率に応じて、光源への供給電力を調整することで、光源の調光レベルを調整している。なお、このデューティ制御回路の構成や動作については、既知の技術であるので詳細な説明は省略する。
【００１６】
また調光制御装置１の各調光回路には、調光回路ごとに上述の照明器具２ａ又は照明器具２ｂの何れかが接続され、接続される照明器具２ａ、２ｂの種類に応じて位相制御回路又はデューティ制御回路の何れかを使用して調光制御を行う。ここで、調光制御装置１の調光回路について、図３に示す概略ブロック図を用いて説明を行う。
【００１７】
調光制御装置１は、図３に示すように、電源端子Ｔ１に接続された電力線Ｌ３を介して商用電源ＡＣと接続し、商用電源ＡＣから供給される交流電力をその動作電力として動作している。また調光制御装置１は、照明器具２ａと商用電源ＡＣとの直列回路に電力線Ｌ１を介して直列に接続されるトライアックＴｒａ…Ｔｒｅと、電源線Ｌ１が接続される位相制御端子Ｔ２ａ…Ｔ２ｅとを備える。また調光制御装置１は、各トライアックＴｒを駆動させる駆動回路ＤＲと、交流電源波形のゼロクロスを検出するゼロクロス検出部Ｚと、フィルタ回路Ｆを介して入力されるゼロクロス検出部Ｚからの出力に基づいて駆動回路ＤＲを制御する制御部ＣＰＵを備える。調光制御装置１は、これらの各回路を用いることで、商用電源ＡＣから照明器具２ａに供給される点灯電力の位相を制御することで照明器具２ａの調光レベルを調整している
また調光制御装置１は、商用電源ＡＣからの電力供給を動作電力として動作する照明器具２ｂが信号線Ｌ２を介して接続されており、信号線Ｌ２が接続される信号線用端子Ｔ３ａ…Ｔ３ｅを備える。また調光制御装置１は、調光レベルに応じたデューティ比の調光信号を照明器具２ｂに出力するデューティ信号出力部ＤＵａ…ＤＵｅを備え、この調光信号のデューティ比に応じて照明器具２ｂは調光制御を行う。
【００１８】
また調光制御装置１は、調光回路ごとに調光レベルの調整を行う為の調光操作部（図示せず）と、調光回路ごとに設けられた動作モードを切り替えるための設定操作部（図示せず）を少なくとも含む操作部ＳＴを備える。また操作部ＳＴは、操作に応じて複数の照明器具２ａ、２ｂの調光レベルを一括で変更するシーン設定部（図示せず）を有し、使用者により各種操作が行われる。
【００１９】
ここで制御部ＣＰＵには、調光回路ごとに動作モードがそれぞれ設定されており、その動作モードとして、位相制御により照明器具２ａを調光する位相制御モードと、調光信号を出力して照明器具２ｂを調光するデューティ制御モードが設けられている。また他の動作モードとして、調光操作部の操作に応じて照明器具２の点灯・消灯を切り替える点灯切替モードが設けられている。使用者は、接続された照明器具２の種類や、その目的に応じて調光回路ごとに設定操作部を操作し、調光操作部を操作した際の動作を所望の動作となるよう動作モードを設定する。
【００２０】
また調光制御装置１は、現在の照明器具２に設定した調光レベルを表示するための表示部ＤＳＰが調光回路ごとにそれぞれ設けられている。また調光制御装置１は、現在の照明器具２ごとの調光レベルなどの各種情報を記憶する記憶部ＭＥＭを備える。また調光制御装置１は、他の調光制御装置などの外部機器（図示せず）との間で信号の授受を行う通信部ＣＭと、この外部機器の通信線（図示せず）が接続される通信端子Ｔ４が設けられている。
【００２１】
また調光制御装置１は、図１に示すように、壁面などの造営面に設けられた取付孔（図６を参照）に埋め込み配置される器具本体１００を備える。この器具本体１００は、ケース１０、取付枠２０、及び、カバー３０をその構成要素として備える。また調光制御装置１は、カバー３０の表面に設けられた操作用カバー３１を露出させた状態でカバー３０に取り付けられる化粧板４１と、化粧板４１の下方側を軸として開閉自在に化粧板４１の前面側に取り付けられる化粧扉４２からなる化粧パネル４０を備える。さらに調光制御装置１は、上述の調光回路を構成する各回路部品５３が表面に実装された調光回路基板５０と、操作部ＳＴを構成する回路部品が実装された入力回路基板６０とを備える。
【００２２】
調光回路基板５０は、５回路分の位相制御端子Ｔ２ａ…Ｔ２ｅ及び電源端子Ｔ１を含む強電用端子５１と、５回路分の信号線用端子Ｔ３を含む弱電用端子５２が後方側の表面に実装されている。強電用端子５１及び弱電用端子５２は、何れも調光回路基板５０の後方側表面で、且つ、下方側に所定の間隔を空けて略直線状に配置されている。これらの強電用端子５１及び弱電用端子５２には、それぞれ電源線Ｌ１、Ｌ３及び信号線Ｌ２が後方側から押し込むことにより接続される。
【００２３】
ケース１０は、前面に開口する開口部１１を有し、合成樹脂により略箱状に形成されている。ケース１０は、図１に示すように、後述する調光回路基板５０の各端子５１、５２が実装された側が後方側となるようにして、調光回路基板５０を収納する配線収納領域１２が形成されている。
【００２４】
またケース１０の後方側の壁面には、強電用端子５１及び弱電用端子５２をそれぞれケース１０の後方側に露出するための電源用端子孔１４及び弱電用端子孔１５が設けられている。ケース１０は、ケース１０の内側において強電用端子５１と弱電用端子５２との間の空間を配線収納領域１７とし、調光制御装置１で用いる各種配線（図示せず）を収納している。この配線収納領域１７の強電用端子５１側の側壁には、ケース１０の内側において他の部位よりも前方側に突出したリブ１７ａが設けられている。ケース１０の後方側の強電用端子５１と弱電用端子５２との間は、強電用端子５１及び弱電用端子５２よりも後方側に突出した凸部１６が形成されている。
【００２５】
またケース１０の前面側の上下の縁部には、ネジ孔を有するネジ止め用の突起部１３が形成されており、ケース１０は、調光回路基板５０を配線収納領域１２に収納した状態で、突起１３のネジ孔に後方側から挿入したネジにより取付枠２０に取り付けられる。
【００２６】
またケース１０の後方側の外壁には、電源線Ｌ１と電源線Ｌ３とを分離して配線する為のセパレータ５が取り付けられる取付溝１９が形成されている。取付溝１９は、セパレータ５の厚みよりもやや幅狭に形成されており、後方側からセパレータ５を押し込むことで取付溝１９の内壁にセパレータ５が狭持される。
【００２７】
またケース１０の下側の壁面には、ケース１０の左右方向を長辺とする略矩形状に開口して、係止片８０（図４（ａ）を参照）が挿入されるスリット１８が、ケース１０の左右方向に沿って複数個設けられている。各スリット１８は、ケース１０の内部に調光回路基板５０を収納した状態において、調光回路基板５０の前面側の表面と接する位置であって（図４（ｂ）を参照）、各端子孔１４、１５の近傍に設けられている。
【００２８】
係止片８０は、図４（ａ）に示すように、前後方向の幅がスリット１８の幅と略等しい幅の平板状に形成されており、下方側に他の部位よりも広い鍔部８４が形成されている。また係止片８０の上方側に位置し、スリット１８に挿入する際の先端部８１には、後方側の側面が先端部８１に近づくにつれて前方側に近づくことで幅狭に形成された傾斜部８２を有する。また、係止片８０の他端側には、スリット１８に挿入された際にスリット１８の内壁を外側に押圧する断面が略三角形の突起８３が設けられている。
【００２９】
ここでケース１０の内部に調光回路基板５０が収納された状態で、ケース１０の外部から内側に向けてスリット１８に係止片８０を挿入すると、係止片８０の傾斜部８２が調光回路基板５０を後方側に押しのけながらスリット１８の内部に挿入される。さらに、係止片８０をケース１０の外壁と顎部８４が当接するまで押し込むと、突起８３がスリット１８の内壁を外側に押圧することで、調光回路基板５０の前面側が係止片８０の後方側と当接した状態で、係止片８０はケース１０に保持される。
【００３０】
取付枠２０は、中央が開口した四角形状の金属板からなり、背面側にケース１０がネジ止めなどにより取り付けられる。また取付枠２０は、左右両側の縁部から中央の開口に向けて突出したマウンタ２１（２１ａ、２１ｂ）が形成されている。このマウンタ２１の前方側には入力回路基板６０が配置され、マウンタ２１の後方側には調光回路基板５０及び後述する放熱板７０が配置される。この放熱板７０は、取付枠２０のマウンタ２１と熱的に結合するように取り付けられている。
【００３１】
入力回路基板６０は、それぞれタクトスイッチからなるアップスイッチ６１ａ及びダウンスイッチ６１ｂで構成される調光スイッチ６１と、上下方向に２個並んだディップスイッチからなるモード切替スイッチ６２が照明器具２ごとに設けられている。また入力回路基板６０は、複数の発光ダイオードからなるＬＥＤ６３が照明器具ごとに設けられており、各調光スイッチ６１、モード切替スイッチ６２、ＬＥＤ６３は、対応する照明器具ごとにまとめて近い位置に設定されている。また入力回路基板６０の表面には、調光シーンを設定するためのタクトスイッチからなるシーン選択スイッチ６４が複数個設けられている。ここで、調光スイッチ６１は上述の操作部ＳＴを構成する調光操作部に、モード切替スイッチ６２は操作部ＳＴを構成する設定操作部に、ＬＥＤ６３は表示部ＤＳＰにそれぞれ対応している。
【００３２】
放熱板７０は、熱伝導率の高い平板状の金属を略Ｌ字状に折り曲げ加工して形成されたものであり、一方側が調光回路基板５０の後方側に実装された回路部品５３の近傍に位置し、他方側が取付枠２０の開口に位置してマウンタ２１に取り付けられる。また、放熱板７０と調光回路基板５０との間には、調光回路基板５０と略等しい大きさに形成された絶縁シート７１が配置されている。すなわち、放熱板７０、絶縁シート７１、及び、調光回路基板５０は、マウンタ２１の後方側表面にそれぞれスペーサ等を適宜介在させ、所定の空間を空けて重ねて取り付けられている。
【００３３】
取付枠２０の上下の側辺には、厚み方向に貫通した楕円状のネジ挿通孔２２と、後述する挟み金具３（図５（ａ）を参照）を係止させるための略Ｌ字状に形成された一対の挟み金具保持孔２３が、それぞれ左右方向の両端付近に設けられている。挟み金具保持孔２３は、左右方向の幅が後述する挟み金具３の係止突起３ａの幅に合わせた大きさの幅狭部２３ａと、幅狭部２３ａの一端側から内側に延び、係止突起３ａの爪３ｂに対応した幅の幅広部２３ｂを有する。
【００３４】
カバー３０は、後方が開口した略箱状であり、前後方向を厚み方向とする平板状に形成された合成樹脂成形品からなり、ケース１０の開口部１１を覆うようにして取付枠２０の前面側に取り付けられる。カバー３０は、調光スイッチ６１を操作する為の操作用カバー３１やモード切替スイッチ６２を操作する為の操作用孔３２など、各回路基板５０、６０の表面に実装された回路部品をカバー３０の前面側から露出するための窓孔が適宜設けられている。
【００３５】
またカバー３０は、前後方向に貫通する複数のスリットからなる通気孔３３ａ、３３ｂを有し、通気孔３３ａはカバー３０の上方側、通気孔３３ｂはカバー３０の下方側のそれぞれの縁部に長手方向に並べて複数設けられている。各通気孔３３は、カバー３０の他の部位よりも後方側に陥没した凹部にそれぞれ設けられている。また通気孔３３ａ、３３ｂが設けられたこの凹部には、カバー３０の中央に向けて前方側に傾斜した傾斜部３６が設けられている。
【００３６】
また、カバー３０は、カバー３０を取付枠２０に取り付けた状態において挟み金具保持孔２３と対向する位置に、前後方向に貫通した取付窓枠３４が設けられている。この取付窓枠３４の内部の空間に挟み金具３やネジ締め用の工具を通すことで、カバー３０を取付枠２０に取り付けた状態で、器具本体１００を造営面に取り付け、また造営面から取り外すことができる。
【００３７】
調光制御装置１を造営面に取り付ける際には、ケース１０の内部に調光回路基板５０を収納した状態で取付枠２０にケース１０及びカバー３０を取り付け、ケース１０の後方側を造営面内に収納し、例えば図５（ａ）に示す挟み金具３などを用いて固定する。挟み金具３は、図５（ａ）に示すように、平板状の金属片の一辺を前方側に突出させた略Ｌ字状に形成され、突出した辺の左右方向の両側には、さらに前方側に突出した係止突起３ａが形成されている。係止突起３ａの先端は、他の部位よりも内側方向に幅広に形成された爪３ｂが設けられている。また挟み金具３の他方側の辺の両端は、端に近づくに連れて前方側に向けて突出するよう折り曲げられた保持部３ｄが設けられている。
【００３８】
より具体的には、取付枠２０、ケース１０、及び、カバー３０を組み合わせた状態で、器具本体１００の後方側から前方側に向けて、挟み金具保持孔２３の幅広部２３ｂに挟み金具の爪３ｂ側から係止突起３ａを挿入する。その後、挟み金具３の係止突起３ａを、挟み金具保持孔２３の幅狭部２３ａに向けてスライドさせると、爪３ｂが幅狭部２３ａと係止する。この状態で、ネジ（図示せず）をケース３０の取付窓枠３４の前方側から通して、ネジ孔３ｃに軽くネジ止めする。次に、取付枠２０の背面と挟み金具３の前面との間に造営面を構成する造営部材を差し込み、ネジを締めることで取付枠２０の後方側面と挟み金具３の前面側とで造営部材を狭持する（図５（ｂ）を参照）。ここでネジを締めると、挟み金具３はＬ字状に形成され、その下部にはケース１０の外壁が存在するので、挟み金具３はネジを締めるごとに前方側に起き上がり、挟み金具３の係止突起３ａが挟み金具保持孔２３の幅狭部２３ｂ側に移動する。
【００３９】
なお、ケース本体１００を造営面に取り付ける方法として、埋め込みボックスに取付枠２０を取り付けることも可能であり、その場合には、取付窓枠３４及びネジ挿通孔２２を通したネジを、埋め込みボックスのネジ孔（図示せず）にネジ止めする。
【００４０】
また取付枠２０の背面側には、器具本体１００を造営面に取り付ける際に取付枠２０の背面側と造営面の表面との間に介在させる防気シート４が配置される。防気シート４は、例えばオレフィン系エラストマシートを真空形成により形成した略透明な成形品であり、中央が開口した矩形枠状に形成され、取付枠２０の周囲の枠部分よりもやや大きなサイズに形成されている。
【００４１】
また防気シート４は、取付枠２０のネジ挿通孔２２に対応する位置に、十字型に切れ込まれたネジ用切込４ａが設けられている。取付枠２０を造営面に取り付ける際には、防気シート４のネジ用切込４ａに固定用のネジが通される。
【００４２】
また防気シート４は、取付枠２０の挟み金具保持孔２３と対向する位置に、防気シート４の外側に近い一辺を残し、防気シート４の上下方向を長辺とする略矩形状の切れ込み金具用切込４ｂ、４ｃが設けられている。金具用切込４ｂは、その幅は挟み金具保持孔２３の幅狭部２３ｂと略等しく、幅狭部２３ｂの上下方向の長さと略等しい長さに設定されおり、金具用切込４ｃは、挟み金具保持孔２３の幅広部２３ｂの上下方向の長さと略等しい長さに設定されいる。
【００４３】
ここで、器具本体１００を挟み金具３を用いて造営面に取り付ける場合には、防気シート４を取付枠２０の背面側に重ねて配置し、挟み金具３の爪３ｂで防気シート４の金具用切込４ｂ、４ｃを押しのけならがら、挟み金具３の係止突起３ａを挿入する。次に、器具本体１００を挟み金具３にネジ止めすると、係止突起３ａが挟み金具保持孔２３の幅狭部２３ｂ側に移動するので、金具用切込４ｃは係止突起３ａによって押しのけられなくなる。また、金具用切込４ｂの先端部分も、徐々に係止突起３ａによって押しのけられる度合いが低くなるので、防気シート４は気密性を保つことができる。
【００４４】
化粧パネル４０の化粧板４１及び化粧扉４２は、例えば略平板状に形成された合成樹脂成形品からなり、化粧板４１の背面側に設けられた係合突起（図示せず）によってカバー３０の前面側を覆うようにして、カバー３０に着脱自在に取り付けられる。また化粧板４１及び化粧扉４２は、化粧板４１の下方側の両端に設けられた保持部４４ａと化粧扉４２の下方側の両端に設けられた被保持部４４ｂとが組み合うことで、化粧扉４２が化粧板４１の前面側表面を開閉自在に保持される。
【００４５】
また化粧板４１には、操作用カバー３１を前面側に露出させる為の操作孔４３を含み、化粧板４１を厚み方向に貫通して、カバー３０の表面に設けられた各種操作素子を前面側から操作・表示する為の窓枠が適宜設けられている。また化粧扉４２には、シーン選択スイッチ６４に設けられた操作カバー３６を前面側に露出するための操作孔４７が化粧扉４２の厚み方向に貫通している。また化粧パネル４０及び下方側の側壁には、他の部位よりも前後方向の厚みを薄くした通気部４５が設けられている。
【００４６】
ここで、調光制御装置１を造営面に取り付けた際の周囲の空気の流れについて、図６を用いて説明する。なお図６は、調光制御装置１を造営面に取り付けた状態において、調光制御装置１を左右方向の一方側から見た断面図である。
【００４７】
図６の断面図に示されるように、造営面内部と室内空間とは造営面及び調光制御装置１により隔てられている。ここで、ケース１０の各端子孔１４、１５の大きさは各端子５１、５２の大きさよりもやや小さく設定されており、各端子５１、５２の表面の縁側が各端子孔１４、１５の縁部の内面と当接しており、ケース１０の内面側と後方面側とは気密性が保たれている。また、調光制御装置１と造営面とが当接する部位（図中のＡ）には、調光制御装置１と造営面との間に防気シート４が介在しているので、造営面内部の空気は室内空間との間で対流せず、室内の気密性が保たれる。
【００４８】
また調光制御装置１の内部では、内部回路が動作することによって発熱し、この熱が放熱板７０を伝ってケース１０の開口部１１付近や、取付枠２０の周囲の空気を温める。この温められた空気は、カバー３０に設けられた通気孔３３ａを通って上方側に流れ、カバー３０の上方側から室内空間に放出される。この時、カバー３０の上方側の壁面は化粧パネル４０で覆われているが、通気孔３３ａと対応する位置に設けられた通気部４５により上方側への空気の流れは阻害されない。またカバー３０の通気孔３３ａの下側は、前方側に傾斜した傾斜部３６が設けられているので、空気がより上方側に対流しやすくなっている。
【００４９】
また、ケース１０内部の空気が調光制御装置１の上方側に対流することで、室内空間内の空気のうち化粧パネル４０の通気部４５の周囲の空気は、通気孔３３ｂを通ってケース１０の内側に引き込まれる。すなわち、調光制御装置１は室内空間との間に、放熱板７０の近傍を通り、造営面内部の空間とは通じていない対流経路Ｒを形成している（図６を参照）。
【００５０】
上述のように、本実施の形態にかかる調光制御装置１は、位相制御に用いられる強電用端子５１と、デューティ信号制御に用いられる弱電用端子５２とが、所定の間隔を広げてケース後方面に略直線状に配置される。これにより、強電流配線である電源線Ｌ１と弱電流配線である信号線Ｌ２とを分離するとともに、強電流配線と弱電流配線の配線間違いを低減することができる。また、この各端子５１、５２を露出する電源用端子孔１４及び弱電用端子孔１５の間には、調光回路基板５０及び入力回路基板６０で用いる配線を収納する為の配線収納領域１２が設けられているので、無駄なスペースの発生を低減することができる。
【００５１】
またケース１０の後方には、各端子５１、５２よりも後方に突出した凸部１６が形成されるとともに、背面にセパレータ５を保持する為の取付溝１９が設けられており、セパレータ５を背面に取り付けて配線を行うことが出来る。これにより、配線時及び使用時において強電流配線と弱電流配線とを分離することができ、調光制御装置１の安全性を向上することができる。
【００５２】
またケース１０の下方側に取り付けた係止片８０によって、調光回路基板５０及び入力回路基板６０に電源線Ｌ１及び信号線Ｌ２を後方側から挿入する際に、各回路基板５０、６０の前方側への移動が抑制される。これにより、各回路基板５０、６０に負担をかけることなく、ケース１０の内部に収納することができるとともに、配線時においても各回路基板５０、６０にかかるストレスを低減することができる。
【００５３】
またこの係止片８０は、各回路基板５０、６０の表面に沿って幅広に形成された略矩形状であるので、各回路基板５０、６０の表面と係止片８０とが接触する面積が大きく、配線時に各回路基板５０、６０にかかるストレスを更に低減している。また、係止片８０に設けられた突起８３が、ケース１０のスリット１８の内壁を押圧することで、ネジなどを用いることなく係止片８０をケース１０に取り外し可能な状態で取り付けることができる。
【００５４】
また係止片８０の先端部８１は、先端部８１に近づくにつれて各回路基板５０、６０の表面から遠ざかるように形成された傾斜部８２が設けられているので、スリット１８に係止片８０を挿入する際に各回路基板５０、６０を後方に押しのけることができる。
【００５５】
また器具本体１００を造営面に取り付ける際には、取付枠２０の背面と造営面の表面との間に介在する防気シート４を設けているので、室内と造営面内との対流を低減して、室内の気密性を高め、冷暖房の効率を向上することができる。
【００５６】
またこの防気シート４には、ネジ用切込４ａが設けられているので、調光制御装置１を造営面にネジ止めする際にネジ穴を開けるなどの加工が不要で、容易に調光制御装置１を造営面にネジ止めすることができる。
【００５７】
またこの防気シート４には、それぞれ長さの異なる金具用切込４ｂ、４ｃが設けられ、金具用切込４ｂと、金具用切込４ｃとの間に切り込みが設けられている。このため、調光制御装置１を挟み金具３を用いて造営面に取り付ける際に、金具用切込４ｂは戻り金具用切込４ｃのみがめくれた状態となるので、気密性を向上させることができる。
【００５８】
また調光制御装置１は、調光回路基板５０に実装された回路部品５３の近傍からカバー３０の背面側にかけて配置される放熱板７０を有し、カバー３０には前後に貫通する通気孔３３ａ、３３ｂが設けられている。これにより、放熱板７０の下方側から上方側に向けて室内の空気が対流する対流経路Ｒが形成され、室内の気密性が高を保ちつつ、器具本体１００の内部で発生した熱を放熱することができる。
【００５９】
また器具本体１００の前面を覆う化粧パネル４０には通気部４５が設けられており、造営面から所定の間隔を開けた位置に対流経路Ｒが形成されるので、回路部品５３で発生した熱を効率よく放熱することができる。
【００６０】
また調光制御装置１は、接続される照明器具２ごとに設定される複数の動作モードが設けられ、その動作モードを変更する為のモード切替スイッチ６２と、設定された動作モードに応じた操作を行う為の調光スイッチ６１とを備えている。また各調光スイッチ６１及びモード切替スイッチ６２は、照明器具ごとに近い位置に配置されており、使用者は設定対象の照明器具を間違えることなく、調光制御の方式を設定することができる。
【００６１】
また、モード切替スイッチ６２が照明器具２の点灯・消灯を切り替える点灯切替モードへの切替手段を兼用しているので、使用者は設定対象の照明器具をを間違えることなく、調光制御の方式を設定することができる。
【符号の説明】
【００６２】
１          調光制御装置
２ａ、２ｂ  照明器具
３          挟み金具
３ａ        係止突起
３ｂ        爪
４          防気シート
４ａ        ネジ用切込
４ｂ、４ｃ  金具用切込
１０        ケース
２０        取付枠
２３        金具保持孔
２３ａ      幅狭部
２３ｂ      幅広部
３０        カバー
１００      器具本体
【図１】
0005551975.tif 000002
【図２】
0005551975.tif 000003
【図３】
0005551975.tif 000004
【図４】
0005551975.tif 000005
【図５】
0005551975.tif 000006
【図６】
0005551975.tif 000007